(57)【要約】  照明器具は、導光層（２）と、複数のＬＥＤ（７）とを含み、ＬＥＤは、導光層（２）内に光を放射するために、導光層（２）内に配置される少なくとも１つの孔（１０）内に収容される。導光層（２）は、光を導光層（２）から取り出すために、少なくとも１つの取出し構造（５；６）をさらに含む。
2010521767.tif 000002
【特許請求の範囲】
【請求項１】
導光層と、
複数のＬＥＤとを含み、
該ＬＥＤは、光を前記導光層内に放射するために、前記導光層内に配置される少なくとも１つの孔の内に収容され、
前記導光層は、前記導光層から光を取り出すために、少なくとも１つの取出し構造を含む、
照明器具。
【請求項２】
第一取出し構造が、前記導光層の外側縁部に配置される、請求項１に記載の照明器具。
【請求項３】
前記導光層は、前記導光層の中心に通孔を形成する内側縁部を含む、請求項１又は２に記載の照明器具。
【請求項４】
第二取出し構造が、前記導光層の中心に前記孔を形成する前記内側縁部に配置される、請求項３に記載の照明器具。
【請求項５】
前記ＬＥＤからの熱を放散するために、ヒートシンクをさらに含む、請求項１乃至４のうちのいずれか１項に記載の照明器具。
【請求項６】
前記ヒートシンクは、前記導光層の前記内側縁部及び外側縁部のいずれからも離れて配置される、請求項５に記載の照明器具。
【請求項７】
前記ＬＥＤは、前記導光層内に配置される複数の孔の内に収容される、請求項１乃至６のうちのいずれか１項に記載の照明器具。
【請求項８】
前記ＬＥＤを収容する孔のそれぞれは、少なくとも２つの側部切子面と、少なくとも１つの隅部とを含み、前記２つの側部切子面は、前記隅部を形成するよう収束する、請求項７に記載の照明器具。
【請求項９】
ＬＥＤを収容する孔の隅部は、隣接するＬＥＤを収容する孔に向かって向く、請求項７又は８に記載の照明器具。
【請求項１０】
前記導光層内の前記ＬＥＤ収容孔のそれぞれの横断面形状は、正方形である、請求項７乃至９のうちのいずれか１項に記載の照明器具。
【請求項１１】
前記ＬＥＤは、側方放射ＬＥＤである、請求項１乃至１０のうちのいずれか１項に記載の照明器具。
【請求項１２】
前記複数のＬＥＤは、円形のＬＥＤ配列に配置される、請求項１乃至１１のうちのいずれか１項に記載の照明器具。
【請求項１３】
前記導光層は、実質的に円形である、請求項１乃至１２のうちのいずれか１項に記載の照明器具。
【請求項１４】
前記複数のＬＥＤは、直線ＬＥＤ配列に配置され、前記導光層は、長方形であり、前記直線ＬＥＤ配列は、前記長方形の形状の導光層に対して傾斜して配置される、請求項１乃至１２のうちのいずれか１項に記載の照明器具。
【請求項１５】
前記導光層は、直角三角形の形状を有し、前記三角形の導光層の２つの隣辺のそれぞれは、反射縁部をそれぞれ有し、前記三角形の斜辺は、前記導光層から光を取り出すための取出し構造を含む、請求項１乃至１２のうちのいずれか１項に記載の照明器具。
【請求項１６】
第二導光層と、
該第二導光層内に光を放射するために、前記第二導光層内に配置される少なくとも１つの孔の内に収容される第二の複数のＬＥＤとをさらに含み、
前記第二導光層は、前記第二導光層から光を取り出すために、少なくとも１つの取出し構造を含み、前記第二導光層は、前記第一導光層と平行に配置される、
請求項１乃至１５のうちのいずれか１項に記載の照明器具。
【請求項１７】
前記第一導光層の前記少なくとも１つの取出し構造は、第一方向に光を取り出すよう構成され、前記第二導光層の前記少なくとも１つの取出し構造は、前記第一方向と反対の第二方向に光を取り出すよう構成される、請求項１６に記載の照明器具。
【請求項１８】
前記第一導光層内の前記ＬＥＤは、第一色スペクトルを有する光を放射するよう構成され、前記第二導光層内の前記ＬＥＤは、前記第一色スペクトルと異なる第二色スペクトルを有する光を放射するよう構成される、請求項１６又は１７に記載の照明器具。
【請求項１９】
前記第一導光層は、前記第一導光層の前記ＬＥＤからの熱を放散するために、第一ヒートシンクを含み、前記第二導光層は、前記第二導光層の前記ＬＥＤからの熱を放散するために、第二ヒートシンクを含み、該第二ヒートシンクは、垂直方向に前記第一ヒートシンクの反対に配置される、請求項１６乃至１８のうちのいずれか１項に記載の照明器具。
【発明の詳細な説明】
【技術分野】
【０００１】
本発明は、導光板と、導光板内に光を放射する複数の発光ダイオード（ＬＥＤ）とを含む、照明器具に関する。
【背景技術】
【０００２】
発光ダイオード（ＬＥＤ）のような固体光源の輝度、ルーメン効力、及び値頃感における進歩は、隙間市場に最早制約されない新しい照明用途を可能にする。ＬＥＤは、伝統的な光源に対して、長寿命、低動作電圧、瞬時オン等のような、幾つかの利点をもたらす。これらの及び他の理由のために、ＬＥＤは、色可変ランプ、スポットライト、ＬＣＤ背面照明、建築照明、舞台照明等のような、幾つかの用途のためのランプを作成するのにより一層適するようになってきている。
【０００３】
多くの照明用途のために、単一のＬＥＤの光は十分ではなく、複数のＬＥＤの光が、光源を形成するために組み合わされる必要がある。１つの解決策は、光が照明装置から出る前に、複数のＬＥＤの光をライトガイド内で混合することである。
【０００４】
今日、一部のランプは、導光板の外側縁部に配置されるＬＥＤを有する。ＬＥＤによって放射される光は、板の縁部で取り込まれ、それが板から取り出される前に、板内で混合される。典型的には、板は、板縁部からある距離を置いて板内に配置される取出し構造を有する。動作中、ＬＥＤは熱並びに光を生成し、熱を効率的に放散することはむしろ困難であることが多い。
【０００５】
過剰な熱を避けるために、板は、ＬＥＤから熱を取り去るヒートシンクを有する。しかしながら、ヒートシンクは、しばしば、幾分嵩張ったランプ構造をもたらす。
【０００６】
選択的に、ＬＥＤは、熱の過剰な蓄積が防止されるよう、互いから十分に遠く離れて配置される。残念なことに、ＬＥＤ配列は小さい地域に集中され得ないので、これは、しばしば、所望レベルの照明器具を得ることを困難にする。
【発明の概要】
【発明が解決しようとする課題】
【０００７】
上述の技術及び従来技術の改良を提供することが本発明の目的である。
【課題を解決するための手段】
【０００８】
本発明の以下の記載から明らかになる他の目的及び利点は、独立項に従った照明器具によって達成される。好適実施態様は、従属項中に定められる。
【０００９】
従って、照明器具が提供され、照明器具は、導光層と、複数のＬＥＤとを含み、ＬＥＤは、光を導光層内に放射するために、導光層内に配置される少なくとも１つの孔の内に収容され、導光層は、導光層から光を取り出すために、少なくとも１つの取出し構造を含む。導光層は、導光層から光を取り出すための少なくとも１つの取出し構造を含む。
【００１０】
本発明の照明器具は、相対的に多数のＬＥＤが、ＬＥＤから放散される熱の過度の集中を引き起こさずに、導光層内に配置され得る点で有利である。何故ならば、熱は、孔内に配置されるＬＥＤから効率的に分配されるからである。好ましくは、ＬＥＤは、層の縁部に配置されるのではなく、層の上方表面又は下方表面に配置され、それはＬＥＤを配置するために利用可能な比較的大きな地域をもたらす。その上、本発明の照明器具は、ＬＥＤが層内でどこに配置されるかに関して増大された自由をもたらす。
【００１１】
光の好ましく分配を得るために、第一取出し構造が導光層の外側縁部に配置され得る。
【００１２】
導光層は、導光層の中心に貫通孔を形成する内側縁部を含み得るし、第二取出し構造が、導光層の中心に孔を形成する内側縁部に配置され得る。これは、より軽量な構造と、光の異なる角分布の実施をもたらす光のより多方面の分配とをもたらす。
【００１３】
照明器具は、さらに、ＬＥＤからの熱を放散するためのヒートシンクを含み得るし、ヒートシンクは、導光層の内側縁部及び外側縁部のいずれからも離れて配置され得る。これは熱放散をさらに向上すると共に、照明器具の設計の自由を向上する。
【００１４】
ＬＥＤは、導光層内に配置される複数の孔内に収容され得るし、それぞれのＬＥＤを収容する孔のそれぞれは、少なくとも２つの側部切子面と、少なくとも１つの隅部とを含み、２つの側部切子面は、隅部を形成するよう収束する。これは光の方向が効率的に制御され得る点で有利である。
【００１５】
ＬＥＤを収容する孔の隅部は、隣接するＬＥＤ収容孔に向かって向き得るし、導光層内のＬＥＤ収容孔のそれぞれの横断面形状は、１つのＬＥＤから放射する光が他のＬＥＤに入射する危険性を低減するために、正方形であり得る。
【００１６】
ＬＥＤは、側方放射ＬＥＤであり得る。それはコンパクトな設計をもたらし、層内への光の効率的な取入れももたらす。
【００１７】
複数のＬＥＤは、円形のＬＥＤ配列に配置され得るし、導光層は、実質的に円形であり得る。それは改良された光学性能を有する構造をもたらす。
【００１８】
複数のＬＥＤは、直線的なＬＥＤ配列に配置され得るし、導光層は、長方形の形状であり得るし、直線的なＬＥＤ配列は、長方形の導光層に対して斜めに配置され得る。
【００１９】
導光層は、直角三角形の形状を有し、三角形の導光層の２つの隣辺のそれぞれは、反射縁部をそれぞれ有し、三角形の斜辺は、導光層から光を取り出すための取出し構造を含む。
【００２０】
照明器具は、さらに、第二導光層と、第二導光層内に光を放射するために、第二導光層内に配置される少なくとも１つの孔の内に収容される第二の複数のＬＥＤとを含む。第二導光層は、第二導光層から光を取り出すために、少なくとも１つの取出し構造を含み、第二導光層は、第一導光層と平行に配置される。２つの層は、光特性及び照明器具からの光の分布が、より多角的な方法で方向付けられ得る点で、極めて有利である。
【００２１】
第一導光層の少なくとも１つの取出し構造は、第一方向に光を取り出すよう構成され得るし、第二導光層の少なくとも１つの取出し構造は、作業光及び周囲光の両方を提供するために、第一方向と反対の第二方向に光を取り出すよう構成され得る。
【００２２】
第一導光層内のＬＥＤは、第一色スペクトルを有する光を放射するよう構成され得るし、第二導光層内のＬＥＤは、第一色スペクトルと異なる第二色スペクトルを有する光を放射するよう構成され得る。それは照明器具の多用性を向上する。
【００２３】
第一導光層は、第一導光層のＬＥＤからの熱を放散するための第一ヒートシンクを含み得るし、第二導光層は、第二導光層のＬＥＤからの熱を放散するための第二ヒートシンクを含み得る。第二ヒートシンクは、垂直方向に第一ヒートシンクの反対に配置される。これは照明器具の熱放散の処理をより容易にする。
【００２４】
「照明器具」という用語は、例えば、部屋内で物体を照明する目的のための光を提供するために使用される装置を意味することが付記されるべきである。部屋は、この脈絡では、典型的には、アパート部屋又はオフィス部屋、ジムホール、公共場所内の部屋又は道の一部のようなアウトドア環境の一部である。従って、照明器具は、例えば、ＴＶ又は携帯電話のためのビデオプロジェクタ又は背面照明（バックライト）ではない。
【００２５】
本発明の実施態様が、付属の概略的な図面を参照して、一例によって、今や記載される。
【図面の簡単な説明】
【００２６】
【図１】本発明に従った円形の照明器具を示す斜視図である。
【図２】図１中の照明器具を示す上面図である。
【図３】図２中の線Ａ−Ａに沿って取られた断面図である。
【図４】一組のＬＥＤを例証する、図１中の照明器具を部分的に示す上面図である。
【図５】さらなる実施態様に従った、図３に対応する断面図である。
【図６】本発明に従った三角形の照明器具を示す上面図である。
【図７】本発明に従った長方形の照明器具を示す上面図である。
【図８】直線配列に配置されたＬＥＤを有する照明器具を示す上面図である。
【図９】直線配列に配置されたＬＥＤを有する照明器具を示す上面図である。
【図１０】直線配列に配置されたＬＥＤを有する照明器具を示す上面図である。
【図１１】直線配列に配置されたＬＥＤを有する照明器具を示す上面図である。
【図１２】複数の取出し構造を組み込んだ、図３に対応する断面図である。
【発明を実施するための形態】
【００２７】
図１は、部屋、例えば、オフィス、アパート、店、又は、他の公共地域内を明るくするためのランプ１又は照明器具を例証している。照明器具１は、導光層(light guiding layer)２を天井（図示せず）に吊り下げる懸架装置３を有する。導光層２は、例えば、透明であり、ガラス又はプラスチックで作成され得るが、如何なる他の適切な材料でも作成され得る。一組のＬＥＤ４が層２内に配置され、その組のＬＥＤは、従来的な電源（図示せず）に接続され且つ電力供給される。
【００２８】
図２及び３をさらに参照すると、例証される導光層２は、円形の形状を有し、円形の孔１５が、層２の中央に配置されている。組のＬＥＤは、導光層２の中心から半径距離Ｒで、円形配列に配置される、概ね７で示される複数の個々のＬＥＤを有する。導光層２の外周又は外側縁部は、層２の頂部表面８及び底部表面９に対する傾斜表面を有する外側取出し構造５を形成している。
【００２９】
導光層２の内側縁部は、前述された孔１５を定め、層２の頂部表面８及び底部表面９に対する傾斜表面も有する内側取出し構造６を形成している。
【００３０】
各ＬＥＤ７は、概ね１０で示される孔内にそれぞれ配置され、光を側方に導光層２内に放射するよう構成されている。ＬＥＤの光放射部分は、層２の頂部８及び底部表面の間に配置され、例示的な光線軌跡４１及び４２によって例証される光を、層内の全反射（ＴＩＲ）によって、外側取出し構造５及び内側取出し構造６の両方に向かって放射する。取出し構造５，６の傾斜構造は、従来的な方法で、光４１，４２を下向き方向に取り出すよう、それぞれ構成される。
【００３１】
図４をさらに参照すると、既述のように、複数のＬＥＤ７は、導光層２内に配置される孔１０内に収容される。孔１０は、通孔又は導光層２の一方の側のみに向かう開口を有する孔であり得る。ＬＥＤ７は、好ましくは、側方放射（サイドエミッティング）全方向ＬＥＤである。代替的に、反対方向に標的される一方向ＬＥＤ又は一方向ＬＥＤの集まりが使用され得る。
【００３２】
好ましくは、各孔１０は、概ね１１で指される４つの取込み側部切子面(side facet)を備える正方形状である。各２つの隣接する取込み側部切子面１１の間には、概ね１２で指される隅部が形成される。正方形の隅部は９０°である。ＬＥＤ７が動作しているとき、光は側部切子面１１を通じて導光層２内に取り込まれ、孔１０のそれぞれ側部切子面１１に対して本質的に直交する光線の４つのビームを形成する。
【００３３】
孔１０は、導光層２の平面内に見られるときに、孔１０の少なくとも１つの隅部１２ａが隣接する孔１０ｂに向かって向くよう、さらに方向付けられ且つ配置される。より正確には、図１乃至４に例証される実施態様において、ＬＥＤ７（結果的に、孔１０）は、孔１０ａの隅部１２ａが隣接する孔１０ｂの隅部１２ｂに向かって本質的に向き、隣接する孔１０ｂの隅部１２ｂが孔１０ａの隅部１２ａに向かって本質的に向くよう、円形の配列に配置される。換言すれば、孔は、位置から側部に沿う側部にちょうど約４５°回転される。
【００３４】
照明器具１７の動作直後、隣接する孔１０ｂの側部切子面１１ｂに衝突する、孔１０ａから側部切子面１１を通じて導光層２内に取り込まれる光４０ｂは、例えば、円形形状を有する孔と比べてより大きな入射角で衝突し、入射角は極めて小さくあり得る。それによって、隣接する孔１０ｂの側部切子面１１ｂでのＴＩＲの蓋然性は有意に増大される。結果的に、その孔１０ｂ内のＬＥＤ７で散乱又は吸収が殆ど或いは全く起こらないよう、孔１０ａからより少量の光が隣接する孔１０ｂに進入するか或いは光は全く進入しない。全体的に、これは照明器具１７のルーメン効率を増大する。
【００３５】
上方表面８及び下方表面９からの光を取出し構造５及び６の間の場所に拡散し、それによって、取り出すために、導光層２は、外側取出し構造５及び６の間に配置される、傾斜反射素子又は拡散粒子のような、追加的な手段（図示せず）をさらに含み得る。
【００３６】
ＴＩＲは、上述の脈絡では、孔１０ａからの光が、導光層２及び孔１０材料に鑑みて、十分に大きい入射角で、隣接する孔１０ｂの側部切子面１１ｂに衝突することを想定する。入射角は、屈折境界で法線に対して測定される。ガラス（約１．５の屈折率ｎ）から成る導光層２及び空気で充填された孔１０のために、そのような入射角は、逆サイン１／ｎ＝４２°のオーダにある。これを達成するために、上記の実施態様では、孔１０ｂの最近接側部切子面１１ｂに向かって垂直な側部切子面に対して４２°以下で孔１０ａから出る如何なる光も、その側部切子面に４８°以上（＞４２°、６°の安全限界）で衝突するか（或いは側部切子面１１ｂに全く衝突せず）、結果的に、孔１０ｂに進入せずに反射される。対照的に、例えば、孔１０ｂの側部切子面１１ｂに向かって５０°以上で孔１０ａを出る如何なる光も、その側部切子面に４０°以下（＜４２°）で衝突し、よって、孔１０ｂに進入する。しかしながら、上述のような正方形状孔内で全方向側部エミッタ（サイドエミッタ）を使用するとき、出射角は、当業者に明らかであるように、４２°を越えない。
【００３７】
また、出射角及び入射角、よって、ＴＩＰの発生は、孔の形状に依存する。即ち、隣接する孔でのＴＩＲの蓋然性は、対向する鈍角隅部のためよりも、対向する鋭角隅部のために概ねより大きい。これを達成するために、隣接する孔の出口側切子面１１ａと受光側切子面１１ｂの間の相対角は、隅部半径、隣接する孔の整列、及び、半径Ｒに依存し、ＴＩＲを可能にするために十分に大きくなければならない。
【００３８】
複数の孔の代わりに、層は、例えば、層内の円形凹部の形態の１つの孔を有し得る。好ましくは、そのような円形の孔又は凹部は、層の中心と整列された中心を有する。特に、もし層がガラス製であるならば、これは製造の観点から有利である。
【００３９】
図５を参照すると、照明器具のさらなる実施態様は、図１乃至４に関連して上述された導光層と同じ構成部品を有する、下方導光層２を有する。下方導光層２に対応する上方導光層２’は同じ構成部品を有し、プライム記号を備えるが同じ参照番号を有する。上方層２’は、下方層２に対して、水平軸について回転され、下方層２の上に配置されている。従って、層２及び２’は平行であるが、ＬＥＤからの光がＴＩＲを介してそれぞれの取出し構造に進行することが許容されるよう、適切な媒体によって分離されている。従って、下方導光層２からのＬＥＤ７からの光の光線４１ａ，４１ｂ，４２ａ，４２ｂは、下向きに方向付けられるのに対し、上方導光層２’内のＬＥＤ７’からの光の光線４１ａ’，４１ｂ’，４２ａ’，４２ｂ’は、上向きに方向付けられている。
【００４０】
その上、下方ヒートシンク１３が下方層２に配置され、下方ＬＥＤ７によって生成される熱を放散するよう構成され、上方ヒートシンク１３’が上方層２’に配置され、上方ＬＥＤ７’によって生成される熱を放散するよう構成されている。好ましくは、ヒートシンク１３及び１３’は、垂直方向に互いに対向して配置される。熱放散を向上するために、ヒートパイプ１４’が、ヒートシンク１３’に熱接続されている。ヒートシンク１３及び１３は、互いに熱接続され得る。下方ＬＥＤ７及び上方ＬＥＤ７’を１つだけの共通ヒートシンクに熱接続することも可能である。
【００４１】
ＬＥＤを共通ヒートシンクに熱接続するために、ヒートシンクのための１つ又はそれよりも多くの貫通孔（図示せず）が導光層内に配置され得る。この場合には、ヒートシンクのための孔（複数の孔）は、好ましくは、光がヒートシンクのための孔（複数の孔）に進入するのを防止するために、ＬＥＤから放射される光を反射するよう構成される。
【００４２】
異なる光特性を得るために、記載された実施態様では、第一導光層２のＬＥＤ７は、白色であり、第二導光層２’のＬＥＤ７’は、赤色、緑色、及び、青色である。
【００４３】
選択的に、２つの層は、双方とも、光を下向き方向に取り出すよう配置されている。この場合には、層は、好ましくは、異なる角分布で光を取り出し、２つの層は異なる大きさを有することが好ましい。もちろん、照明器具は、それぞれの孔及びＬＥＤを備える２つよりも多くの層を含み得る。
【００４４】
図６は、三角形の照明器具１６を概略的に例証している。ここでは、導光板（ライトガイド板）２８は、直角三角形の形状を有している。そこに沿ってＬＥＤ７が配置される反射縁部２３は、直角三角形の隣辺又は脚側を構成している。他の隣辺も反射縁部２４であり、斜辺は、傾斜反射縁部の形態の取出し構造２５を含む。反射縁部は、例えば、ＴＩＲ鏡、拡散鏡、又は、標準的な鏡であり得る。
【００４５】
動作直後、各孔１０の全ての側部切子面から放射される光は、直接的に或いは反射隣辺縁部２３及び２４の少なくとも１つを介して、取出し構造２５に向かって方向付けられ、本質的に直角に取出し構造２５に衝突する。これは例示的な光線軌跡４０によって例証されており、それは均一で平行化された光分布をもたらす。
【００４６】
しかしながら、三角形構造では、隅から隅に配置される正方形孔１０が使用されるとしても、１つからの光は、ＴＩＲが起こらず、光が孔に進入し、孔内に収容されるＬＥＤで散乱され且つ／或いは吸収されるような入射角で、他の付近の孔に向かって反射され得る。
【００４７】
これを防止するために、導光板２８は、縁部によって反射される光が孔１０の間の空間に向かって標的されるように配置される複数の空気スリット２２を備える。反射縁部２３に対して約４５°回転され且つ反射縁部２３に近接して配置される正方形孔のために、反射縁部２３から離れて面する側部切子面の延長において、空気スリット２２は、孔１０と反射縁部との間に延在している。
【００４８】
記載されたばかりの三角形の照明器具１６は、部屋の隅部に有利に配置され得る。照明目的を除けば、それは、例えば、テレビセット用の棚としても働く。三角形の照明器具１６は、スリット４０なしでも具現化され得るが、そのような三角形の照明器具１６は、幾分劣化した性能を有することが付記されるべきである。また、取出し構造４８は、直線的である代わりに、長手方向に湾曲し得る。
【００４９】
図７は、長方形の形状、より具体的には、正方形の形状の照明器具２７を概略的に例証している。ここでは、正方形の形状を備える孔３１が、導光板２７の中心に設けられ、結果として得られる内側縁部２９は、光を導光板２７から取り出すよう構成される。（半径Ｒを除き）図４に関連して上記に議論された種類の４つの線形配列２８が、導光板２７内にさらに設けられる。即ち、孔及びＬＥＤを備える４つの配列２８は、導光板２７に対して約４５°回転された正方形を形成し、その正方形は中心孔３１の周りに配置されている。即ち、配列２８は、孔の側部切子面が導光板２７の取出し縁部２９及び３１と平行であるよう、導光板２７の対角線方向と整列されている。このようにして、動作中、孔から放射する殆どの光ビームは、本質的に垂直方向から縁部２９及び３０に衝突し、それは導光板２７から取り出される均一で平行化された光をもたらす。
【００５０】
図８及び９は、他の長方形の照明器具１８及び１９を例証しており、そこでは、図７からの基本的に正方形の中心孔及び回転された正方形の４つの配列が２つに分割され、互いから離間されて２つの組を形成し、各組は、直角に配置された２つの線形配列２８と、長方形の形状と取出し縁部２９とを備える孔３１とを含む。追加的な取出し構造３２が各組に配置され得るし、或いは、単一の取出し構造３２が２つの組の間に配置され得る。取出し構造３２は、例えば、傾斜鏡又は類似物であり得る。
【００５１】
図１０は、他の長方形の照明器具２０を例証しており、そこでは、２つの線形配列２８が、導光板２７の中央に配置される「Ｘ」を形成している。
【００５２】
図１１は、層２７の縁部に配置され且つ２つの配列を分離する取出し構造３０に対して４５°の角度に配置される２つの配列２８のＬＥＤを有する、さらに他の長方形の照明器具２１を例証している。加えて、２つの配列は、相互に９０°回転されている。
【００５３】
最後に、図１２は、２つの取出し構造５ａ，５ｂ，５ｃを有する導光層２を例証している。取出し構造５ａ，５ｂ，５ｃのそれぞれは、光を例証的な光線軌跡４１ａ，４１ｂ，４１ｃによって例証されるそれぞれの方向に向ける。例えば、構造の１つは、光を部屋内の特定スポットに集束する方向に光を取り出すのに対し、２つの他の取出し構造は、光を少なくとも１つの異なる方向に取り出す。孔１０の間に配置される取出し構造５ｂ及び５ｃ、並びに、最外側取出し構造５ａは、全ての光を取り出さず、光のある部分の通過を許容する。その上、追加的な取出し構造は、孔１０と内側取出し機構６との間に配置され得る。
【００５４】
当業者は、本発明が上述された好適実施態様に決して限定されないことを認識する。逆に、多くの修正及び変形が付属の請求項の範囲内で可能である。
【００５５】
楕円形、八角形、星形、月形、又は、任意の他の形状のような、上述された以外の他の形状の導光層を使用することが可能である。その上、異なる照明特性を得るために、ＬＥＤの配列の数は異なり得るし、配列は、ジグザグ形、波形、又は、任意のそれらの組み合わせのような、直線及び円形から離れた如何なる他の形態をも有し得る。ＬＥＤ配列（複数のＬＥＤ配列）の相対的な場所は、取出し構造（複数の取出し構造）に対して変更され得る。
【図１】
2010521767.tif 000003
【図２】
2010521767.tif 000004
【図３】
2010521767.tif 000005
【図４】
2010521767.tif 000006
【図５】
2010521767.tif 000007
【図６】
2010521767.tif 000008
【図７】
2010521767.tif 000009
【図８】
2010521767.tif 000010
【図９】
2010521767.tif 000011
【図１０】
2010521767.tif 000012
【図１１】
2010521767.tif 000013
【図１２】
2010521767.tif 000014
【国際調査報告】
2010521767.tif 000015
2010521767.tif 000016
2010521767.tif 000017
2010521767.tif 000018